(57)【要約】      （修正有）【課題】簡単な構成で、読書時に持ち手に相当する部分が邪魔になることがなく、しかも本の持ち運びに適したブックカバーを提供する。【解決手段】第一の紙で形成された折り返し部と、第二の紙で形成された本を覆う本体部と、を有するブックカバーにおいて、折り返し部が本体部の周囲に位置し、折り返し部に少なくとも一本の指を挿通可能な持ち手部となる開口部を設け、本を移動させる際、折り返し部を、本の外部に配し、本の内部を見る際、折り返し部を、本の内部に配することを特徴とする。【選択図】図１
0003221560.tif 000002
【実用新案登録請求の範囲】
【請求項１】
第一の紙で形成された折り返し部と、第二の紙で形成された本を覆う本体部と、を有するブックカバーにおいて、前記折り返し部に少なくとも一本の指を挿通可能な開口部を設けたことを特徴とするブックカバー。
【請求項２】
前記開口部が、少なくとも四本の指を挿通可能な形状であることを特徴とする請求項１に記載のブックカバー。
【請求項３】
前記第一の紙および前記第二の紙を同一の紙で構成し、前記折り返し部および前記本体部を一枚の紙で形成したことを特徴とする請求項１又は２に記載のブックカバー。
【請求項４】
前記本を移動させる際、前記折り返し部を、前記本の外部に配することを特徴とする請求項１乃至請求項３のいずれかに記載のブックカバー。
【請求項５】
前記本の内部を見る際、前記折り返し部を、前記本の内部に配することを特徴とする請求項４に記載のブックカバー。
【考案の詳細な説明】
【技術分野】
【０００１】
本考案は、ブックカバーに関するものであり、より詳細には、折り返し部に指を挿通可能な開口部を設け、本の持ち運びに適したブックカバーに関するものである。
【背景技術】
【０００２】
本の持ち運びに適したブックカバーとして、特許文献１に開示されたブックカバーがある。特許文献１に開示されたブックカバーの構成を図５に示す。ブックカバー１２に、持ち手１１を設けて、本１３をバック等に入れなくても下げられるようにする構成である。また、ページ押さえを兼ねた止め具１４を設けて、本１３を開いた時に戻らないように押さえて読書の利便性を向上させている。さらに持ち手１１は上下する構成であり、本１３を持ち運び時は持ち手１１を上に移動させ（図５（ａ））、読書時には持ち手１１を下に移動させ（図５（ｂ））、読書の際、持ち手１１が邪魔にならない構成となっている。
【０００３】
また、他のブックカバーとして、特許文献２に開示されたブックカバーがある。特許文献２に開示されたブックカバーの構成を図６に示す。折り返し部２５、２５ａと、本２６を覆う本体部と、を有するブックカバー２１において、折り返し部２５、２５ａに本２６の表紙２７、２７ａを挿通可能な開口部２４、２４ａを設けた構成で、図６に示すように本２６の背表紙２６ａをブックカバー２１の中央に置き、表表紙２７を開口部２４ａから内部に差し込み、裏表紙２７ａを開口部２４から内部に差し込むことにより本２６にブックカバー２１を取り付ける構成となっている。
【先行技術文献】
【特許文献】
【０００４】
【特許文献１】実開平７−３７６５８号公報
【特許文献２】実用新案登録第３１５４４１０号公報
【考案の概要】
【考案が解決しようとする課題】
【０００５】
特許文献１に記載のブックカバーは、ブックカバー及び持ち手が別体で、ブックカバー及び持ち手の接続部材が必要となり、この接続構造等が複雑になるという問題点を有していた。
【０００６】
また、読書時に持ち手を下に移動させても、持ち手がブックカバーの外面に存在するので、読者からすると依然として持ち手が邪魔になるという問題点を有していた。
【０００７】
さらに、特許文献２に記載されたブックカバーは、折り返し部に開口部を有するものの、指を挿通可能な開口部ではなく、そもそも本の持ち運びに適したブックカバーではない。
【０００８】
本考案は、上記課題に鑑みてなされたものであり、簡単な構成で、持ち手に相当する部分が読者の邪魔になることのない、本の持ち運びに適したブックカバーを提供することを目的とする。
【課題を解決するための手段】
【０００９】
本考案者らは、上記課題を解決するべく鋭意検討を行った結果、折り返し部に少なくとも一本の指を挿通可能な開口部を設けるという簡単な構成で、読書時に持ち手に相当する部分が読者の邪魔になることがなく、しかも本の持ち運びに適したブックカバーを提供できることを見出し、本考案を完成するに至った。
【００１０】
そして、本考案の一観点によれば、第一の紙で形成された折り返し部と、第二の紙で形成された本を覆う本体部と、を有するブックカバーにおいて、折り返し部に少なくとも一本の指を挿通可能な開口部を設けたことを特徴とするものである。
【００１１】
さらに、開口部が、少なくとも四本の指を挿通可能な形状であると望ましい。
【００１２】
さらに、第一の紙および第二の紙を同一の紙で構成し、折り返し部および本体部を一枚の紙で形成すると望ましい。
【００１３】
さらに、本を移動させる際、折り返し部を、本の外部に配すると望ましい。
【００１４】
さらに、本の内部を見る際、折り返し部を、本の内部に配すると望ましい。
【考案の効果】
【００１５】
本考案によれば、簡単な構成で、読書時に持ち手に相当する部分が読者の邪魔になることがなく、しかも本の持ち運びに適したブックカバーを提供できる利点がある。
【図面の簡単な説明】
【００１６】
【図１】実施形態に係るブックカバーを展開した図である。
【図２】実施形態に係るブックカバーを本に設置する途中の状態を示す図である。
【図３】実施例に係るブックカバーを用いて本を持ち運ぶ状態を示す図である。
【図４】実施例に係るブックカバーを用いて読書する状態を示す図である。
【図５】従来のブックカバーを示す図である。
【図６】他の従来のブックカバーを示す図である。
【考案を実施するための形態】
【００１７】
以下、本考案の実施形態について説明する。本考案の範囲はこれらの説明に拘束されることはなく、以下の例示以外についても、本考案の趣旨を損なわない範囲で適宜変更し実施することができる。
【００１８】
図１は、本考案のブックカバー１を展開した図である。図１に示すように、ブックカバー１は、本を覆う本体部２と、折り返して本の表紙に内挿される折り返し部３とを有し、折り返し部３に開口部４を設けた構成である。なお、点線は本体部２および折り返し部３の境界であり、折り返し部３が折り返される部位を示す。
【００１９】
図２は、ブックカバー１を本５に設置する途中の状態を示す図である。図２に示すように、折り返し部３と、本５を覆う本体部２と、を有するブックカバー１において、本５の背表紙をブックカバー１の中央に置き、折り返し部３を折り返して本５の表紙に内挿して、ブックカバー１を本５に取り付ける構成となっている。
【００２０】
本実施形態においてブックカバー１は、紙で構成されるものであって、本を覆うことができる限りにおいて限定されるわけではないが、表面は無地でもよいし、広告等の印刷を施したものでもよい。また、表面は平坦でもよいし、模様等を形成するために凹凸を設けてもよい。
【００２１】
また、本実施形態のブックカバー１において、本体部２と、折り返し部３とを別体で構成して、両者を接着剤等で接続する構成とすることで、本体部２および折り返し部３の紙質を変えることができるので、ブックカバー１のデザインの選択性が向上し、高級感のあるブックカバー１を実現することができる。また、開口部４付近の紙質等を強固なものにできるので、開口部４付近が破れてしまう不具合を防止することができる。強固な紙質としては、例えば、材質的に硬い紙、厚みを増した紙、補強材を貼り合わせた紙、補強材を内蔵した紙等であることが好ましい。一方、本体部２および折り返し部３を一枚の紙で構成してもよい。一枚の紙で構成した場合、接着剤等での接続工程が不要となり、安価なブックカバー１を実現することができる。
【００２２】
また、本実施形態において、折り返し部３は本体部２の四辺全てに設けたが、本体部２の左右両端部側のみに設けてもよく、本５にブックカバー１を固定できるならば、他の形態でもよい。
【００２３】
また、本実施形態において開口部４の形は、少なくとも一本の指を挿通可能な形であって、指等でブックカバー１を保持できる限りにおいて限定されるわけではないが、例えば、円、楕円、正方形、長方形、台形およびそれらの組み合わせであることが好ましい。なお、本実施形態においては角丸長方形を採用した。
【００２４】
また、本実施形態において開口部４のサイズは、少なくとも一本の指を挿通可能なサイズであって、ブックカバー１を保持できる限りにおいて限定されるわけではないが、例えば、指一本のみを挿通可能なサイズ、四本の指を挿通可能なサイズ、さらに大きいサイズ（手のひらを挿通可能なサイズ、腕を挿通可能なサイズ等）であることが好ましい。また、本５のサイズ、重量に応じて開口部４のサイズを最適化することが好ましく、本５のサイズ、重量が大きくなるほど、本５を保持しやすいように開口部４のサイズを大きくすることが好ましい。
【００２５】
以上のような構成の本実施形態においては、本５を移動させる際、折り返し部３を、本５の外部に配し、本５の内部を見る際、折り返し部３を、本５の内部に配するように使用して、折り返し部に少なくとも一本の指を挿通可能な開口部を設けるだけの簡単な構成で、読書時に持ち手に相当する部分（開口部４）が読者の邪魔になることがなく、しかも本５の持ち運び時に開口部４に少なくとも一本の指を挿通して、本の持ち運びが可能となる。
【実施例】
【００２６】
以下、本考案の実施例を説明する。ただし、本考案の実施例は、本実施例に限定されず、本実施例の部品の材料や形状等を種々変形して実施することが可能である。
【００２７】
ここで、実際にブックカバーを作製し、使用して、その効果の確認を行なったので、以下に説明する。
【００２８】
図３は、本５にブックカバー１を装着し、開口部４を有する折り返し部３を、本５の外部に配して、本５を持ち運ぶ状態を示す図である。開口部４には、四本の指が挿通され、手提げバックに内挿されたごとく本５を持ち運ぶことができる。
【００２９】
以上の構成により、例えば、書店にて本を購入する際に、従来はブックカバーを巻いた上に手提げ袋に入れる二重包装であったが、ブックカバーのみの一重包装で、購入後の本の持ち運びが可能となるという効果がある。
【００３０】
図４は、本５にブックカバー１を装着し、開口部４を有する折り返し部３を、本５の内部に配して、読書する状態を示す図である。読書時に持ち手に相当する部分（開口部４）が読者の邪魔になることがないことを確認した。
【００３１】
以上、本実施例により、折り返し部に少なくとも一本の指を挿通可能な開口部を設けるという簡単な構成で、読書時に持ち手に相当する部分が読者の邪魔になることがなく、しかも本の持ち運びに適したブックカバーを実現できることを確認した。
【産業上の利用可能性】
【００３２】
本考案は、読書時に持ち手に相当する部分が読者の邪魔になることがなく、しかも本の持ち運びに適したブックカバーとして産業上の利用可能性がある。
【符号の説明】
【００３３】
１、１２、２１  ブックカバー
２  本体部
３、２５、２５ａ  折り返し部
４、２４、２４ａ  開口部
５、１３、２６  本
１１  持ち手
１４  ページ押さえを兼ねた止め具
２６ａ、２７、２７ａ  表紙
【図１】
0003221560.tif 000003
【図２】
0003221560.tif 000004
【図３】
0003221560.tif 000005
【図４】
0003221560.tif 000006
【図５】
0003221560.tif 000007
【図６】
0003221560.tif 000008
【手続補正書】
【提出日】平成31年3月29日(2019.3.29)
【手続補正１】
【補正対象書類名】実用新案登録請求の範囲
【補正対象項目名】全文
【補正方法】変更
【補正の内容】
【実用新案登録請求の範囲】
【請求項１】
第一の紙で形成された折り返し部と、第二の紙で形成された本を覆う本体部とを有し、前記折り返し部が前記本体部の周囲に位置するブックカバーにおいて、前記折り返し部に少なくとも一本の指を挿通可能な開口部を設けたことを特徴とするブックカバー。
【請求項２】
前記開口部が、少なくとも四本の指を挿通可能な形状であることを特徴とする請求項１に記載のブックカバー。
【請求項３】
前記第一の紙および前記第二の紙を同一の紙で構成し、前記折り返し部および前記本体部を一枚の紙で形成したことを特徴とする請求項１又は２に記載のブックカバー。
【請求項４】
前記本を移動させる際、前記折り返し部を、前記本の外部に配することを特徴とする請求項１乃至請求項３のいずれかに記載のブックカバー。
【請求項５】
前記本の内部を見る際、前記折り返し部を、前記本の内部に配することを特徴とする請求項４に記載のブックカバー。